(57)【要約】【課題】        現在も、市場には、ツボ押し具、ツボ刺激具、と称されるグッツ、それに関する書籍、手引書等、数多く、流通しているが、静電気によるものは、見当たらない。  其れは静電気が其の電圧を任意に制御できないことで、想定外の大きな電圧の静電気が印加された場合、危険を伴うことも考えられる、そのため、物質に発生の静電気でツボ刺激することは、難しかった。其処で、想定外に高い静電気が発生した場合、一定の電圧以上の静電気を除去出来る放電回路を具備して、静電気によるツボ刺激方法を可能にすることを課題とする。【解決手段】  シリコーンゴムチューブ等の物質の表面に帯電した静電気によってツボを刺激する方法に、おいて、該シリコーンゴムチューブ等に、酸化亜鉛バリスター等を使用して、小型で任意の放電電圧を有する放電回路を装着して、電圧制御を可能にした静電気によるツボ刺激方法によって解決する。【選択図】  図６
2018038719.tif 000002
【特許請求の範囲】
【請求項１】
シリコーンゴムチューブ等の表面に帯電した静電気によってツボを刺激する方法に、おいて、該シリコーンゴムチューブ等に、任意の放電電圧の放電回路を装着して、電圧制御を備えたことを特徴とする静電気によるツボ刺激方法。
【請求項２】
シリコーンゴムチューブの表面に帯電した静電気によってツボを刺激する方法、において、該シリコーンゴムチューブに任意の放電電圧の放電回路を装着した電圧制御を備えたことを特徴とする静電気によるツボ刺激方法を用いたツボ刺激健康具。
【請求項３】
シリコーンゴムチューブの表面に帯電した静電気によってツボを刺激する方法、において、該シリコーンゴムチューブに外部より、静電気発生器によって、発生した静電電圧を印加することで、電圧制御を備えたことを特徴とする静電気によるツボ刺激方法。
【発明の詳細な説明】
【技術分野】
【０００１】
本発明は、人体の各部位に存在すると言われているツボを刺激する方法に関する
ものである。
【背景技術】
【０００２】
従来より、ツボを刺激し健康維持、病気予防、或いは、治療の方法として、鍼、お灸、指圧、磁気、遠赤外線照射等、色々の方法が採用、試みされているが、夫々に、特徴、欠点を持ち、万人に向くものは、一定していない。
特に、昔から知られている、お灸、鍼、に関しては、熱さ、痛さ等の外、ツボ自体を確実に認識できず、素人では、此れを行うことは、大変、難しい。
指圧に関しては、一般的であるが此れも、押圧の強弱の程度、ツボの中心を探すこと等の難かしさ。磁気によるものは、磁石の付近の磁気による弊害が有る等の問題は拭いきれていない。
【０００３】
然し、鍼、お灸、指圧には、西洋医学では対処しがたい症状を治療できる力もある。
一部は医学的にも証明され始めて、特に、手指のツボ刺激のように、ツボを指圧することは、手軽で即効力もあるようだが、素人が、ツボを確実に探す事はかなり難しいことである。
現在までに先行技術として、公開されている、ツボ刺激に関する文献は、下記の様なものが有る。
遠赤外線が放射されマイナスイオンも効果的に生成することが出来ツボ刺激も可能なツボ刺激健康具。
（例えば、特許文献１参照）
ツボ刺激具を握ることで手指のツボを刺激する従来の方法に加えて身体のいろいろなツボの部分に突起球体を円状に動かせながら押し圧できるツボ刺激具。
（例えば、特許文献２参照）
【０００４】
静電気をシリコーンゴムチューブに（−）の静電荷を帯電、持続保持させた静電荷帯電具を使用したツボ刺激具。
本発明者が過日、特許取得したものだが、欠点があり、実施化が滞っている、
今回この改良として、本願を出願した。
（例えば、特許文献３参照）
【０００５】
現在も、市場には、ツボ押し具、ツボ刺激具、と称されるグッツ、書籍、手引書等、数多く、流通しているが、静電気によるものは、見当たらない。
（例えば、非特許文献１）
【先行技術文献】
【特許文献】
【０００６】
【特許文献１】特開２００２-３１５８１０号公報
【特許文献２】実用新案登録第３１４９６４５号公報
【特許文献３】特許第４９６０５２１号公報
【非特許文献】
【０００７】
【非特許文献１】「クロワッサン＝特別編集版」体のツボの大地図帖    ｐ３２〜３４
【発明の概要】
【発明が解決しようとする課題】
【０００８】
従来からある方法を並べてみると、静電気によるツボ刺激も従来の方法と肩を並べても良いのでは、何故、其れが、実用されていないか、考えてみると、そこには、問題があった。鍼、灸、等は、「やってはいけないツボ」、があることは、昔から知られていることである。装置を使用して静電気を発生した場合は別だが、一般に、物質に発生の静電気は、人為的には、電圧を制御することは出来ない。
想定外の、予想もしない大きな電圧の静電気が印加された場合、危険を伴うことも考えられる、そのため、物質に発生の静電気でツボ刺激することは、難しかった。
其処で、想定外に高い静電気が発生した場合、一定の電圧以上の静電気を除去出来る放電回路を具備して、静電気によるツボ刺激方法を可能にすることを課題とする。
【課題を解決するための手段】
【０００９】
問題を解決するために本発明が採用した第１の課題解決技術手段は、シリコーンゴムチューブ等の表面に帯電した静電気によってツボを刺激する方法に、
おいて、該シリコーンゴムチューブ等に、任意の放電電圧の放電回路を装着して、電圧制御を備えた静電気によるツボ刺激方法による。
【００１０】
第２の課題解決手段は、シリコーンゴムチューブの表面に帯電した静電気によってツボを刺激する方法、において、該シリコーンゴムチューブに任意の放電電圧の放電回路を装着した電圧制御を備えた静電気によるツボ刺激方法を用いたツボ刺激健康具による。
【００１１】
第３の課題解決手段は、シリコーンゴムチューブの表面に帯電した静電気によってツボを刺激する方法、において、該シリコーンゴムチューブに外部より、静電気発生器によって発生した静電電圧を印加することで、電圧制御を備えた静電気によるツボ刺激方法による。
【発明の効果】
【００１２】
静電気によるツボ刺激は、痛み、熱さ等無く、ツボの周囲付近を広範囲に、
刺激して、素人でも簡単に、ツボを刺激することが出来る。
静電気は、絶えず変化しているので、ツボにも変化した刺激が伝わっている。
然し電圧を制御できないので、想定外の強い静電気に対応できない。
本発明により、想定外の、突然の強い静電気が発生した場合でも、付属の放電素子が吸収、危険を除去することが出来る。尚、この際の放電回路はアースレスとなっている。シリコーンゴムチューブに発生の静電気は、外部の刺激によって変化をするため、叩いたり、引っ張ること、又、外部より静電気発生器等で静電気を印加することでも、昇圧することが出来る。これ等の変化した刺激が、ツボに伝達され、より効果的なものとなる。指に嵌めるだけで、一般の「ツボもみ」が代用できるものもある。
【図面の簡単な説明】
【００１３】
【図１】本発明の実施例の構成図
【図２】本発明の放電回路の構成図  （平面図、側面図）
【図３】本発明の実施例１「指のツボ刺激健康具」（５連）（写真代用）
【図４】本発明の実施例２「指のツボ刺激健康具」（２連）（写真代用）
【図５】本発明の実施例３  アイマスクに装着（写真代用）
【図６】本発明の実施例４  足の裏への応用（写真代用）
【図７】本発明の実施例５  足の裏への応用−２（写真代用）
【００１４】
本発明は、発明者の特許査定受けた特許を利用している。
通常、静電気が（―）に帯電している、シリコーンゴムチューブを使用して
その帯電電圧で、ツボを刺激する。（特許４９６０５２１号）
この件には、想定外の電圧に対する電圧制御に関して、対応がなされていなかった、
ので、その改良としての出願とした。
又、チューブの両端を塞ぎ、帯電する静電気の保持時間を延長させること、
（特許４９６０４８５号）
又、任意の放電電圧の放電回路は手足などに装着する物なので、小型であること、アースレスであること、等が必要条件である。
（特開２０１４−６３７３１  審査請求中）
これ等を、組み合わせて、各種実験を経て、本発明に到達した。
【００１５】
通常生活の中で静電気という場合はプラスの電荷を指すが、物質は（＋）と（−）の静電気がバランスを保って安定しているが、摩擦によって（−）の電荷は離脱しやすく、（＋）の静電気だけが残って、「帯電状態」となる。（或る物理学者はこれもプラズマ現象と捉えている）静電気が身体に溜まると東洋医学でいう「気の流れを阻害」するため、自律神経のバランスが崩れ変調をきたすとも言われている。
静電気帯電の物質、を人体のツボと称される付近に、密着させて、その静電気によってツボを刺激することで、東洋医学の経絡や経穴といった、スジ、ツボへの刺激が、予防医学の役割はもとよりイライラ、不満、ストレスの解消、年寄りの老化防止にもなる。
更に、（＋）の静電気漬けになった身体を（―）の大きな電荷で反対側に揺り戻す。
という効果も存在する。
【００１６】
シリコーンゴムチューブの表面は０．５KVから３KV程度の（−）に帯電しているが、時間の経過と共に減少の傾向にあるが、外周を他の物質で覆う等した場合、外部より圧力、引張り、外部よりの静電気印加、等、加わると、大幅に昇圧し１０KVを超えることもある。人体には、合成繊維を着ることで、衣服と衣服の摩擦により静電気が発生した場合は、帯電電圧３０KVを超えることもありうる。
そのため、３KV以上は除去出来る様に対応したいところだ。
一般に人体は、３KV程度からの静電気に、衝撃を感じるようになる。
【００１７】
本発明の放電回路には、酸化亜鉛バリスター、放電管、を使用しているが、より小型化のためには酸化亜鉛バリスターでないと、実現できない。
放電電圧は０．２KVから３KVの範囲で人体の各、部位によって選択している。例えば、顔面、首、特に眼の付近は、０．２KV〜６００V、足の裏、手指は３KV、で当面は行っている。眼、首には、鍼、灸、をやってはいけない部位があるとのことで、強い電圧は印加されない様に、注意することが必要である。
但し、今後、臨床実験等の結果によっては、この限りではない
場合によっては、他の部位では、１０KV程度を指定する場合もありうる。
【００１８】
以下本発明の実施の形態を図１〜６図  に基づいて説明する。
本発明の構成：
図１、長方形の樹脂製の枠１には、突起物２が、枠の内部、短辺に相対して複数個形成されている。シリコーンゴムチューブ３、が相対する突起物で、繋がれ、此れによって、該シリコーンゴムチューブは、両端を塞がれ、簾状に、形成される。
（以下静電簾と呼称）
即ち、該シリコーンゴムチューブの内部は、大気と異なる空間となる、この事が、シリコーンゴムチューブに帯電の静電気が長い時間保持されることになる。
シリコーンゴムチューブは、５本装着されているが、枠の大きさ、形状等によって変えることは出来る。
【００１９】
枠の底に当たる部分には、樹脂製の底板４があり、図２の上部に、底板４の平面図、
下部は、側面図で、放電回路を示している。
前記、枠の外形寸法と同じ樹脂製の底板４、が、２枚合わせの状態で、枠と接着剤で取り付けられているが、板４の片隅には、約１０φの穴８、が開いている、其の部分には、小型放電回路が挿入されている、其の構成は、金属ワッシャ５、金属板６、で酸化亜鉛バリスター７、を挟む形で、金属板５、が表面に出る構成で、放電回路が形成されている。金属板６は、人体に触れることが無いよう底板４の表面には出ないで、酸化亜鉛バリスターの片側の電極に接している。金属ワッシャー５に、放電電圧以上の静電気が印加された場合、前記、記載の静電気除去具の働きをするよう構成されている。
【実施例１】
【００２０】
図３、特許第４９６０５２１号で開示されている、静電荷帯電具を５個金属の鎖で繋ぎ、鎖の一部に、バリスターからなる小型放電回路、を付属させてある。５本の指を、夫々シリコーンゴムチューブの孔に挿入、爪の付け根にシリコーンゴムチューブを接触させ、他方を他の手で叩く１０〜２０回ほど叩いて、２〜３分、手指の爪揉みに相当。
朝、昼、晩、何時でも、手の空いている際には、TV、鑑賞、音楽を聴きながら随時行うと、効果有る。尚、繋ぎは、繊維の紐でも良い、が静電気に対しては、金属が適している。繊維紐の場合は、夫々の静電荷帯電具に放電回路が必要である。
（金属の鎖に２KV放電電圧の放電回路装着）
【実施例２】
【００２１】
図４、は上記、５連のものを、２連にしたもので、此方の方が、手軽に使用できる。放電回路も、円筒型の酸化亜鉛バリスターを使用して小型になっている。
放電電圧は、２４０Vとしてある。
【実施例３】
【００２２】
図５、は、アイマスクに、装着したもの、内部は、眉毛の当たりにシリコーンゴムチューブを当てて、外部より、マスクの外側を左右にこすること、２０回位、
１〜２分後、外す。眼がスッキリとする。
中空のシリコーンゴムチューブの内部には、２４０Vの放電管が挿入されている。  
【実施例４】
【００２３】
図６、前記記載の静電簾を、足の裏にある、「湧泉＝ゆうせん」というツボ、と思われる部位に、サポーターで、装着、就寝。足の血流が良くなり、足が温かく、良く、眠れる。（２４０Vの酸化亜鉛バリスター使用の超小型放電回路を取り付けている）
【符号の説明】
【００２４】
１  樹脂製枠（ABｓ）
２  突起物
３  シリコーンゴムチューブ  
４  底板
５  金属ワッシャ
６  金属板
７  酸化亜鉛バリスター
８  約１０ｍｍφの孔
【図１】
2018038719.tif 000003
【図２】
2018038719.tif 000004
【図３】
2018038719.tif 000005
【図４】
2018038719.tif 000006
【図５】
2018038719.tif 000007
【図６】
2018038719.tif 000008
【図７】
2018038719.tif 000009
【手続補正書】
【提出日】平成29年8月24日(2017.8.24)
【手続補正２】
【補正対象書類名】明細書
【補正対象項目名】００１９
【補正方法】変更
【補正の内容】
【００１９】
枠の底に当たる部分には、樹脂製の底板４があり、図２の上部に、底板４の平面図、下部は、側面図で、放電回路を示している。
前記、枠の外形寸法と同じ樹脂製の底板４、が、２枚合わせの状態で，枠と接着剤で取り付けられているが、該底板４の片隅には約１０φの穴８、が開いている、其の部分には、小型放電回路が挿入されている、其の構成は、金属ワッシャー５、金属板６、で酸化亜鉛バリスター７、を挟む形で、金属ワッシャー５、が表面に出る構成で、放電回路が形成されている。金属板６は、人体に触れることが無いよう底板４の表面には出さないで酸化亜鉛バリスターの片側の電極に接している。金属ワッシャー５に、放電電圧以上の静電気が印加された場合、前記、記載の静電気除去具の働きをするよう構成されている。        
【手続補正３】
【補正対象書類名】特許請求の範囲
【補正対象項目名】全文
【補正方法】変更
【補正の内容】
【特許請求の範囲】
【請求項１】
シリコーンゴムチューブの表面に帯電した静電気によってツボを刺激するツボ刺激健康具であって、長方形の樹脂製の枠には、突起物が、枠の内部、短片に相対して複数個形成されており、該シリコーンゴムチューブが、相対する突起物で両端末が塞がれた状態で、繋がれ、簾状に形成され、枠の底には樹脂製の底板が、２枚合わせの状態で、枠と接着剤で取り付けられており、該底板の片隅には、約１０φの穴が開いており、其の穴の部分には、金属ワッシャー、金属板で、酸化亜鉛バリスターを挟む形で、該金属板は人体に触れることないよう該底板の表面に出さないで、酸化亜鉛バリスターの片側の電極に接しており、該金属ワッシャーが該底板の表面に出る構成の放電回路を装着した電圧制御を備えたことを特徴とする静電気によるツボ刺激健康具。